(57)【要約】  本発明は、モバイル名刺の転送方法及びその記録媒体に係り、相手方に携帯電話を用いて電話をかけるときに、マルチメディアファイルと個人情報ファイルをｘｍｌファイルに変換して相手方に転送することにより、変換されたｘｍｌファイルが相手方の携帯電話に自動的に格納され、自動的に格納されたｘｍｌファイルから抽出された情報が相手方の携帯電話に各情報別に格納され、これが再びリアルタイムにて表示されて自分の情報の転送及び自分のアピールを行うことができ、ｘｍｌファイルから抽出された格納情報が、持続的に相手方の携帯電話からかかってくる当該番号に応じて表示されるようにして自分をアピールする名刺の役割を長期に亘って果たすことができて相手方に自分を刻印する効果があり、しかも、最初のｘｍｌファイルによって自動的に格納されることにより、かかってくる携帯電話番号による情報を別途に手動的に格納することが不要になって携帯電話のユーザーの使い勝手がよくなるモバイル名刺の転送方法及びその記録媒体に関する。【選択図】図１
2014527656.tif 000002
【特許請求の範囲】
【請求項１】
個人情報（１ａ）を携帯電話（１）に格納・生成する個人情報生成ステップ（Ｓ１０）と、
携帯電話（１）に格納または生成される写真または動画、音などのマルチメディアファイル（１ｂ）と、前記個人情報生成ステップにおいて生成された個人情報(１ａ)とを併合してｘｍｌファイルとしてエンコードするステップ（Ｓ２０）と、
エンコードされた前記ｘｍｌファイル（１ｃ）を携帯電話に埋め込まれている格納部（２ａ）または携帯電話のインタフェースを介して接続されるメモリカード（２ｂ）に選択的に格納するステップ（Ｓ３０）と、
格納部（２ａ）またはメモリカード（２ｂ）に格納されている複数のｘｍｌファイルを、携帯電話（１）の画面に、個人情報（１ａ）と併合された写真または動画、音などのマルチメディアファイル（１ｂ）がデコードされて並べて表示するステップ（Ｓ４０）と、
デコードされた複数のｘｍｌファイルをユーザーが選択して選定するステップ（Ｓ５０）と、
格納部（２ａ）またはメモリカード（２ｂ）から格納された複数の前記ｘｍｌファイルのうちユーザーの選択によって選定されたｘｍｌファイルを読み出すステップ（Ｓ６０）と、
読み出された前記ｘｍｌファイルを相手方の携帯電話番号とともに通信社サーバー（５）に転送するステップ（Ｓ７０）と、
前記通信社サーバー（５）に前記ｘｍｌファイルが一時的に格納され、前記相手方の携帯電話番号への接続を試みるステップ（Ｓ８０）と、
前記通信社サーバー（５）から基地局（３）を介して接続された相手方の携帯電話（４）に前記ｘｍｌファイルを転送するステップ（Ｓ９０）と、
前記相手方の携帯電話（４）に埋め込まれている格納部（５ａ）または携帯電話のインタフェースを介して接続されるメモリカード（５ｂ）に転送された前記ｘｍｌファイルが自動的に格納されるステップ（Ｓ１００）と、
自動的に格納された前記ｘｍｌファイルをデコードして個人情報（１ａ）と写真、動画、音などのマルチメディアファイル（１ｂ）を抽出して相手方の電話番号部に自動的に格納するとともに、相手方の携帯電話（４）の画面に表示するステップ（Ｓ１１０）と、
を含むことを特徴とするモバイル名刺の転送方法。
【請求項２】
前記個人情報（１ａ）は、ユーザーの携帯電話番号、有線電話番号、ファックス番号、電子メールアドレス及び個人ブログのうちの少なくとも１以上を含むことを特徴とする請求項１に記載のモバイル名刺の転送方法。
【請求項３】
前記マルチメディアファイル（１ｂ）は、ｊｐｇ、ｇｉｆ、ｔｉｆ、ａｖｉ、ｍｐ３、ｍｐ４、ａｄｆ及びｗｍｖのうちのいずれか一種であることを特徴とする請求項１に記載のモバイル名刺の転送方法。
【請求項４】
前記ｘｍｌファイルの自動格納をユーザーの選択によって制御するステップ（Ｓ２００）をさらに含み、ユーザーによって前記ｘｍｌファイルの自動格納が制限されれば、個人情報（１ａ）とマルチメディアファイル（１ｂ）はデコードが制限され、相手方の携帯電話（４）に接続された電話通話状態のみ維持されることを特徴とする請求項１に記載のモバイル名刺の転送方法。
【請求項５】
ユーザーの携帯電話番号、有線電話番号、ファックス番号、電子メールアドレス及び個人ブログのうちの少なくとも１以上を含む個人情報（１ａ）を携帯電話（１）に格納・生成するプログラムコードと、
携帯電話（１）に格納または生成される写真または動画、音などのマルチメディアファイル（１ｂ）と、前記個人情報生成ステップにおいて生成された個人情報（１ａ）とを併合してｘｍｌファイルとしてエンコードするプログラムコードと、
エンコードされた前記ｘｍｌファイルを携帯電話（１）に埋め込まれている格納部（２ａ）または携帯電話のインタフェースを介して接続されるメモリカード（２ｂ）に選択的に格納するプログラムコードと、
格納部（２ａ）またはメモリカード（２ｂ）に格納された複数のｘｍｌファイルを、携帯電話（１）の画面に、個人情報（１ａ）と併合された写真または動画、音などのマルチメディアファイル（１ｂ）がデコードされて並べて表示するプログラムコードと、
格納部（２ａ）またはメモリカード（２ｂ）から、格納された複数の前記ｘｍｌファイルのうちユーザーの選択によって選定されたｘｍｌファイルを読み出すプログラムコードと、
読み出された前記ｘｍｌファイルを相手方の携帯電話番号とともに通信社サーバー５に転送するプログラムコードと、
前記通信社サーバー（５）に前記ｘｍｌファイルが一時的に格納され、前記相手方の携帯電話番号への接続を試みるプログラムコードと、
前記通信社サーバー（５）から基地局（３）を介して接続された相手方の携帯電話（４）に前記ｘｍｌファイルを転送するプログラムコードと、
前記相手方の携帯電話（４）に埋め込まれている格納部（５ａ）または携帯電話のインタフェースを介して接続されるメモリカード（５ｂ）に転送された前記ｘｍｌファイルを自動的に格納するプログラムコードと、
自動的に格納された前記ｘｍｌファイルをデコードして個人情報（１ａ）と写真、動画、音などのマルチメディアファイル（１ｂ）を抽出して相手方の電話番号部に自動的に格納するとともに、相手方の携帯電話の画面に表示するプログラムコードと、
を備えることを特徴とする記録媒体。
【請求項６】
前記ｘｍｌファイルの自動格納をユーザーの選択によって制御するプログラムコードをさらに備え、ユーザーによって前記ｘｍｌファイルの自動格納が制限されれば、個人情報（１ａ）とマルチメディアファイル（１ｂ）はデコードが制限されて個人情報（１ａ）とマルチメディアファイル（１ｂ）を相手方の携帯電話（４）に表示するプログラムコードを制限することを特徴とする請求項５に記載の記録媒体。
【発明の詳細な説明】
【技術分野】
【０００１】
本発明は、モバイル名刺の転送方法及びその記録媒体に係り、さらに詳しくは、ユーザーの携帯電話を介して記録・格納されるマルチメディアファイルとユーザー自分の個人情報とを併合してｘｍｌファイルとして相手方の携帯電話に転送し、転送されたｘｍｌファイルが相手方の携帯電話に自動的に格納されるとともにデコードされて個人情報が相手方の携帯電話に自動的に格納されることにより、相手方の携帯電話に格納された自分の個人情報とマルチメディアファイルを用いて電子名刺としての機能を行うことができるだけではなく、企業などにおける顧客との応対に際して様々なマーケティングの役割を果たすことのできるモバイル名刺の転送方法及びその記録媒体に関する。
【背景技術】
【０００２】
最近の携帯電話、個人情報端末（ＰＤＡ）、無線データ通信が行えるノート型パソコンなどの発展には目を見張るものがあり、これに伴い、表示ウィンドウに会員の個性を表示しうる文字、写真、アニメーション、動画などをディスプレイして自分ならではのユニークな機器を自慢する傾向が高まりつつある。このような傾向とあいまって、各通信社及びインターネットプロバイダなどは様々なコンテンツを開発して消費者に提供している。
【０００３】
しかしながら、最近には、無線データ通信網の急速な発達に伴いスマートフォンが急速に普及され、これにより、各種のアプリケーションなどスマートフォンに適したプログラムが開発されて実現されている。
【０００４】
このような様々なコンテンツを含んでいるアプリケーションは、一方向及び双方向に通信可能なプログラムをはじめとして、ゲーム、写真撮影、動画などが楽めるように種々に発展されているが、携帯電話の持ち主が自分をアピールする方法は、従来の旧型の携帯電話のように文字を用いて相手方に自分をアピールするか、あるいは、文字に単純なイメージを付加して相手方に自分をアピールする程度に留まっており、ともすれば迷惑文字と誤認され易いという問題点がある。
【０００５】
さらに、社会が急変して個人主義的な性向が強まる現代の自由競争時代には、自分をアピールする必要があり、自分をアピールする方法のうち最も汎用されている方法は、単に紙に自分の携帯電話番号、居所、所属会社などが印刷されている名刺をオフライン上で交わすことであり、このような従来の実情に鑑みて、従来の印刷された名刺の欠点を補完するために、上述した携帯電話、スマートフォンを用いた電子名刺が提案されているが、これは、別途に文字のように相手方にアピールすることに過ぎない。
【０００６】
すなわち、単に自分の電話番号、自分のイメージ、関連文字のみを含めてマルチメディアメッセージサービス（ＭＭＳ：ｍｕｌｔｉ−ｍｅｄｉａ ｍｅｓｓａｇｅ ｓｅｒｖｉｃｅ）方式により転送することが一般的である。このような方式は、相手方の注意を引くことができず、上述したように迷惑メールとして扱われる虞があるため、返って自分をアピールするよりは相手方に不快感を与える虞があり、マルチメディアファイルのコンテンツを含むことに制約があり、しかも、たとえマルチメディアファイルを含むとしても、その容量に限界がある。
【０００７】
この理由から、最近のスマートフォンの普及に伴い、自分の個性を思い切り生かして自分ならではのユニークな名刺の役割を果たすことが求められており、これを用いて広報効果を得る方法が求められているのが現状である。
【発明の概要】
【発明が解決しようとする課題】
【０００８】
したがって、本発明は上述した問題点を解消するために案出されたものであり、その目的は、相手方に携帯電話を用いて電話をかけるときに、マルチメディアファイルと個人情報ファイルをｘｍｌファイルに変換して相手方に転送することにより、変換されたｘｍｌファイルが相手方の携帯電話に自動的に格納され、自動的に格納されたｘｍｌファイルから抽出された情報が相手方の携帯電話に各情報別に格納され、これが再びリアルタイムにて表示されて自分の情報の転送及び自分のアピールを行うことのできるモバイル名刺の転送方法及びその記録媒体を提供することである。
【０００９】
また、本発明の他の目的は、ｘｍｌファイルから抽出された格納情報が、持続的に相手方の携帯電話からかかってくる当該番号に応じて表示されるようにして自分をアピールする名刺の役割を長期に亘って果たすことができて相手方に自分を刻印する効果があり、しかも、最初のｘｍｌファイルによって自動的に格納されることにより、かかってくる携帯電話番号による情報を別途に手動的に格納することが不要になって携帯電話のユーザーの使い勝手がよくなるモバイル名刺の転送方法及びその記録媒体を提供することである。
【課題を解決するための手段】
【００１０】
上述した目的を達成するために、本発明に係るモバイル名刺の転送方法は、個人情報１ａを携帯電話１に格納・生成する個人情報生成ステップ（Ｓ１０）と、携帯電話１に格納または生成される写真または動画、音などのマルチメディアファイル１ｂと、前記個人情報生成ステップにおいて生成された個人情報１ａとを併合してｘｍｌファイルとしてエンコードするステップ（Ｓ２０）と、エンコードされた前記ｘｍｌファイル１ｃを携帯電話に埋め込まれている格納部２ａまたは携帯電話のインタフェースを介して接続されるメモリカード２ｂに選択的に格納するステップ（Ｓ３０）と、格納部２ａまたはメモリカード２ｂに格納されている複数のｘｍｌファイルを、携帯電話１の画面に、個人情報１ａと併合された写真または動画、音などのマルチメディアファイル１ｂがデコードされて並べて表示するステップ（Ｓ４０）と、デコードされた複数のｘｍｌファイルをユーザーが選択して選定するステップ（Ｓ５０）と、格納部２ａまたはメモリカード２ｂから格納された複数の前記ｘｍｌファイルのうちユーザーの選択によって選定されたｘｍｌファイルを読み出すステップ（Ｓ６０）と、読み出された前記ｘｍｌファイルを相手方の携帯電話番号とともに通信社サーバー５に転送するステップ（Ｓ７０）と、前記通信社サーバー５に前記ｘｍｌファイルが一時的に格納され、前記相手方の携帯電話番号への接続を試みるステップ（Ｓ８０）と、前記通信社サーバー５から基地局３を介して接続された相手方の携帯電話４に前記ｘｍｌファイルを転送するステップ（Ｓ９０）と、前記相手方の携帯電話４に埋め込まれている格納部５ａまたは携帯電話のインタフェースを介して接続されるメモリカード５ｂに転送された前記ｘｍｌファイルが自動的に格納されるステップ（Ｓ１００）と、自動的に格納された前記ｘｍｌファイルをデコードして個人情報１ａと写真、動画、音などのマルチメディアファイル１ｂを抽出して相手方の電話番号部に自動的に格納するとともに、相手方の携帯電話４の画面に表示するステップ（Ｓ１１０）と、を含む。
【００１１】
ここで、前記個人情報１ａは、ユーザーの携帯電話番号、有線電話番号、ファックス番号、電子メールアドレス及び個人ブログのうちの少なくとも１以上を含むことが好ましく、前記マルチメディアファイル１ｂは、ｊｐｇ、ｇｉｆ、ｔｉｆ、ａｖｉ、ｍｐ３、ｍｐ４、ａｄｆ及びｗｍｖのうちのいずれか一種であることが好ましい。
【００１２】
一方、本発明に係るモバイル名刺の転送方法は、前記ｘｍｌファイルの自動格納をユーザーの選択によって制御するステップ（Ｓ２００）をさらに含み、ユーザーによって前記ｘｍｌファイルの自動格納が制限されれば、個人情報１ａとマルチメディアファイル１ｂはデコードが制限され、相手方の携帯電話４に接続された電話通話状態のみ維持されることが好ましい。
【００１３】
さらに、本発明に係るモバイル名刺の転送方法を行うための記録媒体は、ユーザーの携帯電話番号、有線電話番号、ファックス番号、電子メールアドレス及び個人ブログのうちの少なくとも１以上を含む個人情報１ａを携帯電話１に格納・生成するプログラムコードと、携帯電話１に格納または生成される写真または動画、音などのマルチメディアファイル１ｂと、前記個人情報生成ステップにおいて生成された個人情報１ａとを併合してｘｍｌファイルとしてエンコードするプログラムコードと、エンコードされた前記ｘｍｌファイルを携帯電話１に埋め込まれている格納部２ａまたは携帯電話のインタフェースを介して接続されるメモリカード２ｂに選択的に格納するプログラムコードと、格納部２ａまたはメモリカード２ｂに格納された複数のｘｍｌファイルを、携帯電話１の画面に、個人情報１ａと併合された写真または動画、音などのマルチメディアファイル１ｂがデコードされて並べて表示するプログラムコードと、格納部２ａまたはメモリカード２ｂから、格納された複数の前記ｘｍｌファイルのうちユーザーの選択によって選定されたｘｍｌファイルを読み出すプログラムコードと、読み出された前記ｘｍｌファイルを相手方の携帯電話番号とともに通信社サーバー５に転送するプログラムコードと、前記通信社サーバー５に前記ｘｍｌファイルが一時的に格納され、前記相手方の携帯電話番号への接続を試みるプログラムコードと、前記通信社サーバー５から基地局３を介して接続された相手方の携帯電話４に前記ｘｍｌファイルを転送するプログラムコードと、前記相手方の携帯電話４に埋め込まれている格納部５ａまたは携帯電話のインタフェースを介して接続されるメモリカード５ｂに転送された前記ｘｍｌファイルを自動的に格納するプログラムコードと、自動的に格納された前記ｘｍｌファイルをデコードして個人情報１ａと写真、動画、音などのマルチメディアファイル１ｂを抽出して相手方の電話番号部に自動的に格納するとともに、相手方の携帯電話の画面に表示するプログラムコードと、を備えることを特徴とする。
【００１４】
ここで、前記記録媒体は、前記ｘｍｌファイルの自動格納をユーザーの選択によって制御するプログラムコードをさらに備え、ユーザーによって前記ｘｍｌファイルの自動格納が制限されれば、個人情報１ａとマルチメディアファイル１ｂはデコードが制限されて個人情報１ａとマルチメディアファイル１ｂを相手方の携帯電話４に表示するプログラムコードを制限することが好ましい。
【発明の効果】
【００１５】
本発明によれば、相手方に携帯電話を用いて電話をかけるときに、マルチメディアファイルと個人情報ファイルをｘｍｌファイルに変換して相手方に転送することにより、変換されたｘｍｌファイルが相手方の携帯電話に自動的に格納され、自動的に格納されたｘｍｌファイルから抽出された情報が相手方の携帯電話に各情報別に格納され、これが再びリアルタイムにて表示されて自分の情報の転送及び自分のアピールを行うことができるという効果がある。
【００１６】
また、本発明によれば、ｘｍｌファイルから抽出された格納情報が、持続的に相手方の携帯電話からかかってくる当該番号に応じて表示されるようにして自分をアピールする名刺の役割を長期に亘って果たすことができて相手方に自分を刻印する効果があり、しかも、最初のｘｍｌファイルによって自動的に格納されることにより、かかってくる携帯電話番号による情報を別途に手動的に格納することが不要になって携帯電話のユーザーの使い勝手がよくなるという効果がある。
【図面の簡単な説明】
【００１７】
【図１】図１は、本発明に係るモバイル名刺の転送方法及びその記録媒体の構成図である。
【図２】図２は、本発明に係るモバイル名刺の転送方法及びその記録媒体のブロック図である。
【図３】図３は、本発明に係るモバイル名刺の転送方法及びその記録媒体の他の実施形態のブロック図である。
【発明を実施するための形態】
【００１８】
以下、添付図面に基づき、本発明に係るモバイル名刺の転送方法及びその記録媒体の構成及び作用について詳述する。
【００１９】
図１は、本発明に係るモバイル名刺の転送方法及びその記録媒体の構成図であり、図２は、本発明に係るモバイル名刺の転送方法及びその記録媒体のブロック図であり、図３は、本発明に係るモバイル名刺の転送方法及びその記録媒体の他の実施形態のブロック図である。
【００２０】
本発明に係るモバイル名刺の転送方法及びその記録媒体は、相手方に携帯電話を用いて電話をかけるときに、マルチメディアファイルと個人情報ファイルをｘｍｌファイルに変換して相手方に転送することにより、変換されたｘｍｌファイルが相手方の携帯電話に自動的に格納され、自動的に格納されたｘｍｌファイルから抽出された情報が相手方の携帯電話に各情報別に格納され、これが再びリアルタイムにて表示されて自分の情報の転送及び自分のアピールを行うことができるという効果があり、ｘｍｌファイルから抽出された格納情報が、持続的に相手方の携帯電話からかかってくる当該番号に応じて表示されるようにして自分をアピールする名刺の役割を長期に亘って果たすことができて相手方に自分を刻印する効果があり、しかも、最初のｘｍｌファイルによって自動的に格納されることにより、かかってくる携帯電話番号による情報を別途に手動的に格納することが不要になって携帯電話のユーザーの使い勝手がよくなるものであり、図１に示すように、ユーザーの携帯電話により写真、動画、文字、音など様々なマルチメディアファイルと予めまたは即座で作成された個人情報とを併合して通信社サーバーを介して相手方の携帯電話に自動的に格納して自分をアピールする名刺のように使用可能である。
【００２１】
このような本発明に係るモバイル名刺の転送方法及びその記録媒体は、図２に示すように、個人情報生成ステップ（Ｓ１０）と、ｘｍｌファイルエンコードステップ（Ｓ２０）と、選択的な格納ステップ（Ｓ３０）、ｘｍｌファイルのデコード及び羅列表示ステップ（Ｓ４０）と、ｘｍｌファイル選択ステップ（Ｓ５０）、ｘｍｌ読出しステップ（Ｓ６０）と、通信社サーバーへの転送ステップ（Ｓ７０）と、相手方の携帯電話への接続ステップ（Ｓ８０）と、相手方の携帯電話へのｘｍｌファイルの転送ステップ（Ｓ９０）と、ｘｍｌファイルの自動格納ステップ（Ｓ１００）、相手方の携帯電話の画面への表示ステップ（Ｓ１１０）と、を含んで実現される。
【００２２】
個人情報生成ステップ（Ｓ１０）
自分の個人情報を携帯電話１を用いて生成・格納するステップであり、前記個人情報１ａは、ユーザーの携帯電話番号、有線電話番号、ファックス番号、電子メールアドレス及び個人ブログのうちの少なくとも１以上含むことが好ましい。
【００２３】
ｘｍｌファイルのエンコードステップ（Ｓ２０）
携帯電話１に格納または生成される写真または動画、音などのマルチメディアファイル１ｂと上述した前記個人情報生成ステップにおいて生成された個人情報１ａとを併合してｘｍｌファイルとしてエンコードする。
【００２４】
選択的な格納ステップ（Ｓ３０）
エンコードされた前記ｘｍｌファイル１ｃを携帯電話に埋め込まれている格納部２ａまたは携帯電話のインタフェースを介して接続されるメモリカード２ｂに選択的に格納する。ここで、携帯電話の格納能力が劣る場合に、メモリカードなどを用いて格納空間を拡張してもよい。
【００２５】
ｘｍｌファイルのデコード及び羅列表示ステップ（Ｓ４０）
上述した携帯電話の格納部２ａまたはメモリカード２ｂに格納された複数のｘｍｌファイルを、携帯電話１の画面に、個人情報１ａと併合された写真または動画、音などのマルチメディアファイル１ｂがデコードされて並べて表示するステップであり、自分をアピールするための広報手段として生成されたｘｍｌファイルから、状況や相手方に合うｘｍｌファイルを見出すステップである。例えば、自分を自分の顧客にアピールしたい場合に、顧客が容易に自分を覚えるように企業のイメージまたは動画と紐付けられた自分の個人情報を送るために、あるいは、友達に自分の現在の状態を知らせたい場合にはそれに適した写真、動画などのマルチメディアファイルと紐付けられた自分の個人情報を送るために、ユーザーが選択できるようにユーザーの携帯電話に並べて表示する。
【００２６】
ｘｍｌファイルの選択ステップ（Ｓ５０）
先にデコードされた複数のｘｍｌファイルをユーザーが送りたい相手に応じて選択して選定するステップである。
【００２７】
ｘｍｌファイルの読出ステップ（Ｓ６０）
携帯電話の格納部２ａまたはメモリカード２ｂから格納された複数の前記ｘｍｌファイルのうちユーザーの選択によって選定されたｘｍｌファイルを読み出して転送の準備をするステップである。
【００２８】
通信社サーバーへの転送ステップ（Ｓ７０）
読み出された前記ｘｍｌファイルを相手方の携帯電話番号とともに通信社サーバー５に転送するステップであり、上述したように、自分を知らせたい相手方に応じて選択されたｘｍｌファイルを自分が通話しようとする相手方の携帯電話番号の信号とともに転送する。
【００２９】
相手方の携帯電話への接続ステップ（Ｓ８０）
前記通信社サーバー５に前記ｘｍｌファイルが一時的に格納され、前記相手方の携帯電話番号への接続を試みるステップであり、相手方の携帯電話の機種や固有設定によって接続方式が異なってくる。
【００３０】
すなわち、図３に示すように、前記ｘｍｌファイルの自動格納をユーザーの選択によって制御するステップ（Ｓ２００）をさらに含むことにより、ユーザーによって前記ｘｍｌファイルの自動格納が制限されれば、個人情報１ａとマルチメディアファイル１ｂはデコードが制限され、相手方の携帯電話４に接続された電話通話状態のみ維持されるのである。このため、相手方の携帯電話の機種がｘｍｌファイルをデコードできないものである場合には通信状態が切れるのではなく、ｘｍｌファイルの転送のみが制限されるのであり、このようなｘｍｌファイルの制限は、たとえｘｍｌファイルがデコード可能な携帯電話であるとしても、相手方が格納を制限する場合にはこれを制限して通信状態のみを維持することができる。
【００３１】
相手方の携帯電話へのｘｍｌファイルの転送ステップ（Ｓ９０）
相手方がｘｍｌファイルを受信可能な状態であり、図３のように設定される場合に、前記通信社サーバー５から基地局３を介して接続された相手方の携帯電話４に前記ｘｍｌファイルを転送する。
【００３２】
ｘｍｌファイルの自動格納ステップ（Ｓ１００）
受信したｘｍｌファイルが前記相手方の携帯電話４に埋め込まれている格納部５ａまたは携帯電話のインタフェースを介して接続されるメモリカード５ｂに自動的に格納されるステップである。このとき、相手方は、通信状態を維持した状態で電話の通話が可能である。
【００３３】
相手方の携帯電話への画面の表示ステップ（Ｓ１１０）
次いで、自動的に格納された前記ｘｍｌファイルをデコードして個人情報１ａと写真、動画、音などのマルチメディアファイル１ｂを抽出して相手方の電話番号部に自動的に格納するとともに、相手方の携帯電話４の画面に表示する。この過程は、相手方の携帯電話に接続信号、すなわち、ベルが鳴る時点から始まり、携帯電話の画面の視覚的な部分と聴覚的な音部を用いて相手方に自分を知らせる。
【００３４】
今後、ユーザーが相手方に携帯電話への通話を試みる場合に、当該番号に対して予め自動的に格納された相手方の携帯電話の格納部のデータに基づいて当該電話番号と照合してこれを画面の上に表示し、持続的にユーザーの個人情報を表示することにより、名刺の役割を十分に果たすことができる。
【００３５】
また、単に名刺の役割に留まることなく、これを企業の広報などのマーケティング手段として活用することにより、広報効果を増大させることができる。
【００３６】
ここで、マルチメディアファイルは、ｊｐｇ、ｇｉｆ、ｔｉｆ、ａｖｉ、ｍｐ３、ｍｐ４、ａｄｆ及びｗｍｖのうちのいずれか一種であることが好ましい。すなわち、動画、音、イメージなどを含むだけではなく、大容量もデータストリーミングを用いて転送可能であるため、より効果的に自分をアピールすることができる。
【００３７】
このような個人情報とマルチメディアファイルとの併合によりｘｍｌファイルを生成して転送するためのプログラムは、通信社サーバーに格納された記録媒体を用いてインターネットまたは通信網を介して自分の携帯電話にインストールし、インストールされた当該記録媒体が携帯電話の連想装置などに記録されることにより、電話通話を用いてリアルタイムにて自分の個人情報を表出することが可能であるということはいうまでもなく、このような記録媒体としては、携帯電話と有無線にて接続可能なハードディスク、ＲＡＭ装置、ＲＯＭ装置、コンパクトディスク、ＤＶＤ、ＣＤ−ＲＯＭ、光磁気ディスク、フロッピーディスク、デジタルテープなどの記録媒体が挙げられる。
【００３８】
一方、本発明の詳細な説明においては具体的な実施形態について説明したが、本発明の範囲から逸脱しない範囲内において種々に変形可能であるということは当該分野において通常の知識を有する者にとって自明であり、そのような変形は請求範囲に記載の範囲内にある。
【符号の説明】
【００３９】
１：携帯電話
２ａ、５ａ：格納部
２ｂ、５ｂ：メモリカード
３：基地局
４：相手方の携帯電話
５：通信サーバー
【図１】
2014527656.tif 000003
【図２】
2014527656.tif 000004
【図３】
2014527656.tif 000005
【国際調査報告】
2014527656.tif 000006
2014527656.tif 000007
2014527656.tif 000008
2014527656.tif 000009